(57)【要約】本発明はスタンプ型バーコードリーダーに関するもので、バーコードを撮影して獲得したバーコード映像情報をバーコード解読ソフトウェアの組み込まれたバーコード解読端末機に伝送するカメラと、前記カメラに装着され、カメラの撮影方向が下向きになるように誘導し、カメラの焦点が前記バーコードに位置するようにし、側面は自然光が透過するように透明材質からなったカメラ装着台とを含む。したがって、本発明によれば、周辺環境が明るい時は、照明装置をオフさせて自然光を用いることができ、カメラ装着台がカメラに着脱可能になっているので、カメラ装着台を分離すれば、一般のカメラとしても使用することができるスタンプ型バーコードリーダーを提供することができる。
2008530684.tif 000002
【特許請求の範囲】
【請求項１】
カメラを用いるバーコードリーダーにおいて、
バーコードを撮影して獲得したバーコード映像情報をバーコード解読ソフトウェアの組み込まれたバーコード解読端末機に伝送するカメラと、
前記カメラに装着され、カメラの撮影方向が下向きになるように誘導し、カメラの焦点が前記バーコードに位置するようにし、側面は自然光が透過するように透明材質からなったカメラ装着台とを含むことを特徴とするスタンプ型バーコードリーダー。
【請求項２】
前記バーコード解読端末機は、１次元バーコード映像情報または２次元バーコード映像情報を解読することができることを特徴とする請求項１に記載のスタンプ型バーコードリーダー。
【請求項３】
前記カメラには、照明装置、および前記照明装置のオン／オプ操作部が設けられていることを特徴とする請求項２に記載のスタンプ型バーコードリーダー。
【請求項４】
前記照明装置は、照明方向が下向きになるように取り付けられ、ＬＥＤからなることを特徴とする請求項３に記載のスタンプ型バーコードリーダー。
【請求項５】
前記カメラは、ＲＦＩＤタグからタグ情報を受信するＲＦＩＤ判読器を内装または外装し、前記タグ情報を前記バーコード解読端末機に伝送することを特徴とする請求項２に記載のスタンプ型バーコードリーダー。
【請求項６】
前記カメラ装着台は、前記カメラに着脱可能になっていることを特徴とする請求項２に記載のスタンプ型バーコードリーダー。
【請求項７】
前記カメラおよび前記カメラ装着台にそれぞれ着脱案内線が表示されていることを特徴とする請求項６に記載のスタンプ型バーコードリーダー。
【請求項８】
前記カメラ装着台は、バーコードの印刷された紙面と接触する面の形状が前記カメラの撮影範囲と一致するように形成されていることを特徴とする請求項１〜７のいずれか一項に記載のスタンプ型バーコードリーダー。
【請求項９】
前記カメラ装着台には、前記カメラの撮影範囲を示すバーコード位置案内線が表示されていることを特徴とする請求項１〜７のいずれか一項に記載のスタンプ型バーコードリーダー。
【発明の詳細な説明】
【技術分野】
【０００１】
本発明はスタンプ型バーコードリーダーに関し、特に、使用者がバーコードが印刷されている紙面に本発明のスタンプ型バーコードリーダーをスタンプのように簡単に下ろすだけでバーコードを正確に読み取ることができ、自然光を使用することにより照明装置が別に必要でなく、カメラ装着台がカメラに着脱可能になっているので、カメラ装着台を分離すれば、一般のカメラとしても使用可能なスタンプ型バーコードリーダーに関するものである。
【背景技術】
【０００２】
一般に、バーコードは多様な幅を有する黒いバーと白いバーの配列パターンで情報を表現する符号または符号体系である。
【０００３】
これは、ドット（．）とダッシュ（−）の配列で情報を表示するモース符号と同様に、バーコードで情報を表現することと、表現された情報を解読することはバーコード装備によって可能であるので、バーコードは機械語であると言える。
【０００４】
バーとスペースはその幅によって一つまたは複数のバイナリ・ビット（０または１）に変わり、これらの組合せでＡＳＣＩＩ文字を表現する。
【０００５】
バーコードは、人がキーを直接ポンチするなどの手作業による面倒さをなくし、バーコードスキャナが直接情報を入力するので、データ入力が簡易で処理速度が速くなり、またキーボードを使用して人が直接入力する時は、人の熟練度によってエラーが発生するが、バーコードはそれぞれの文字が自体的に検査できるように考案されており、正確な入力によってエラーをほとんど発生させない利点がある。
【０００６】
一般に、このようなバーコードは前記のように一次元的直線状バーで構成されているが、現在は、このような直線状バーを横および縦に配列して一層多い情報量を保存し得る２次元バーコードが広く開発されている過程にある。
【０００７】
２次元バーコードは、通常、正四角形の平面内に数多い点の集合によって形成される情報記憶媒体で、１次元的バーコードとはその形態が異なる。
【０００８】
通常、バーコードに保存された情報を解読するためには、変化する値の小さな光の点がスキャナを通じてバーとスペースを照射しながら通過し、バーコードの黒いバー部分と白いバー部分（スペースバー）で反射された光量の差がスキャナ内の光検出器によって電気的信号に翻訳される。
【０００９】
ところで、一次元的バー状のバーコードは、たとえその高さの９５%が破損されても、データ入力に差し支えを与えないので、使用者が簡単に用いることができ、現在用いられているすべてのプリント技法を使用することができるという利点があるが、データの保存量が少なくて、破損時の情報の損失発生に対する対策がないのに対し、２次元的バーコードはデータ保存量が多くて、一部が破損しても、これに対する補正情報まで保存することができるので、その重要性がますます高くなっているが、２次元的バーコードを実用的に活用するためには、高精度のバーコードリーダーが必要であるという問題点がある。
【００１０】
２次元バーコードリーダーは、このような高精度を確保するために、通常はカメラ技術を用いて情報を解読する。
【００１１】
以下図面に基づいて２次元バーコードリーダーについて述べながら、従来技術の問題点を調べる。
【００１２】
図１は従来技術方式の２次元バーコードリーダーの写真を図面にしたものであり、図２は従来技術方式の２次元バーコードリーダーの使用方法を示す図である。
【００１３】
図１の２次元バーコードリーダーは現在公知されている数多い２次元バーコードリーダーの一例に過ぎないが、その技術的限界は同一である。図１に示すように、従来技術方式の２次元バーコードリーダーは、両端に形成された焦点距離調節用十字線放出装置１０と、画角位置投射装置２０と、カメラ３０とからなる。
【００１４】
このような従来技術方式の２次元バーコードリーダーの使用においては、図２ａに示すように、両端に形成された二つの焦点距離調節用十字線放出装置１０から十字線が投射されて焦点距離で両十字線が重なるようにして距離をガイドし、画角位置投射装置２０から投射される画角位置スクリーン２０−Ａに２次元バーコードＡが位置するように調節した後、前記カメラで映像情報を獲得する方式である。
【００１５】
すなわち、２次元バーコードにおいては、１次元バーコードと異なり、精密な画像を読み取らなければならないため、正確な焦点距離調節と正確な画角調整が不可欠であり、さらに、前記従来技術方式のように、カメラが映像を獲得するために被写体に光が提供されなければならない問題点がある。
【００１６】
したがって、自然光をカメラに用いなければならない２次元バーコードリーダーにおいて、前記のような従来技術の方式は、２次元バーコードを読み取るために、バーコードから焦点距離だけの離隔距離を置いて映像を獲得しなければならないため、手の揺れ、不正確な距離調節および位置調整により読取りエラー率が高くて、使用時に使用者の熟練を要求する問題点がある。
【発明の開示】
【発明が解決しようとする課題】
【００１７】
前述したような問題点を解決するために、本発明は、使用者がバーコードの印刷されている紙面に本発明のスタンプ型バーコードリーダーをスタンプのように簡単に下ろすだけでバーコードを正確に読み取ることができ、周辺環境が明るい時は、照明装置をオフさせて自然光を用いることができ、カメラ装着台がカメラに着脱可能になっているので、カメラ装着台を分離すれば、一般のカメラとしても使用することができるスタンプ型バーコードリーダーを提供することをその目的とする。
【００１８】
また、本発明は、ＲＦＩＤタグの情報を判読することができるＲＦＩＤ判読器を含み、バーコードおよびＲＦＩＤタグを一括して判読することができるスタンプ型バーコードリーダーを提供することをほかの目的とする。
【００１９】
前記目的を達成するための本発明のスタンプ型バーコードリーダーは、バーコードを撮影して獲得したバーコード映像情報をバーコード解読ソフトウェアが組み込まれたバーコード解読端末機に伝送するカメラと、前記カメラに装着され、カメラの撮影方向が下向きになるように誘導し、カメラの焦点が前記バーコードに位置するようにし、側面は自然光が透過するように透明材質からなったカメラ装着台とを含む。
【００２０】
前記バーコード解読端末機は、１次元バーコード映像情報または２次元バーコード映像情報を解読することができる。
【００２１】
前記カメラには、照明装置および前記照明装置のオン／オプ操作部が設けられていることが望ましい。
【００２２】
前記照明装置は、照明の方向が下向きになるように取り付けられ、ＬＥＤからなることが望ましい。
【００２３】
前記カメラは、ＲＦＩＤタグからタグ情報を受信するＲＦＩＤ判読器を内装または外装し、前記タグ情報を前記バーコード解読端末機に伝送することが望ましい。
【００２４】
前記カメラ装着台は、前記カメラに着脱可能であることが望ましい。
【００２５】
前記カメラおよび前記カメラ装着台にそれぞれ着脱案内線が表示されることが望ましい。
【００２６】
前記カメラ装着台は、バーコードの印刷された紙面と接触する面の形状が前記カメラの撮影範囲と一致するように形成されることが望ましい。
【００２７】
前記カメラ装着台には、前記カメラの撮影範囲を示すバーコード位置案内線が表示されることが望ましい。
【発明の効果】
【００２８】
本発明によると、使用者がバーコードの印刷されている紙面に本発明のスタンプ型バーコードリーダーをスタンプのように簡単に下ろすだけでバーコードを正確に読み取ることができ、周辺環境が明るい時は、照明装置をオフさせて自然光を用いることができ、カメラ装着台がカメラに着脱可能になっているので、カメラ装着台を分離すれば、一般のカメラとしても使用することができるスタンプ型バーコードリーダーを提供することができる。
【００２９】
また、本発明によれば、ＲＦＩＤタグの情報を判読することができるＲＦＩＤ判読器を含み、バーコードおよびＲＦＩＤタグを一括して判読することができるスタンプ型バーコードリーダーを提供することができる。
【発明を実施するための最良の形態】
【００３０】
以下、添付図面を参照して本発明の望ましい実施例を詳細に説明する。
【００３１】
図３は本発明の第１実施例によるスタンプ型バーコードリーダーを示す図である。
【００３２】
図３に示すように、本発明の第１実施例によるスタンプ型バーコードリーダー１００はカメラを用いるバーコードリーダーであって、カメラ１２０とカメラ装着台１４０を含む。
【００３３】
カメラ１２０は、バーコードを撮影して獲得したバーコード映像情報をバーコード解読ソフトウェアが組み込まれたバーコード解読端末機１に伝送する。バーコード解読端末機１は、１次元バーコード映像情報または２次元バーコード映像情報を解読することができる。
【００３４】
カメラ装着台１４０は前記カメラ１２０が装着されるもので、カメラ１２０の撮影方向が下側に向かい、カメラ１２０の焦点が前記バーコード位置するようにし、側面は自然光が透過できるように透明材質からなっている。
【００３５】
図４は本発明のスタンプ型バーコードリーダー１００のカメラ１２０を下側から見た底面図である。
【００３６】
図４に示すように、カメラ１２０には、照明方向が下向きになり、ＬＥＤからなった照明装置１２４、および照明装置１２４のオン／オプを制御するオン／オプ操作部（図示せず）が設けられている。
【００３７】
周辺環境が明るい時は、照明装置１２４をオフにしてカメラ装着台１４０を通じて投射される自然光を使用し、周辺環境が暗い時は、照明装置１２４をオンにして照明光を使用する。
【００３８】
前記照明装置１２４は、照明をオンにした場合、撮影対象となるバーコードに、照明による影が生じないように、図４のように、照明装置１２４を対称的に設置することが望ましい。影が生ずると、バーコード映像情報に影が混じてバーコードの解読時、エラーが生ずることがあるからである。
【００３９】
一方、カメラ１２０には、ＲＦＩＤタグからタグ情報を受信するＲＦＩＤ判読チップ（図示せず）が設けられているので、前記ＲＦＩＤ判読チップによって判読されたタグ情報を前記バーコード解読端末機１に伝送する。
【００４０】
また、カメラ装着台１４０は、前記カメラ１２０に着脱可能になっており、バーコードが印刷された紙面と接触する形状が前記カメラ１２０の撮影範囲と一致するように形成されている。
【００４１】
本発明の第１実施例によるスタンプ型バーコードリーダー１００は、主に２次元バーコードリーダーとして使用されるが、１次元バーコードリーダーとしても使用できる。
【００４２】
一般に、前記バーコード解読端末機１は、カメラ１２０の撮影範囲に入るバーコードの映像を使用者に表示し、バーコードが前記撮影範囲に正常に入ると、カメラ１２０からバーコード映像情報を受信し、バーコード解読ソフトウェアによって前記バーコードを解読することになる。
【００４３】
ところが、従来技術方式によれば、２次元バーコードリーダーの限界のため、肉眼でカメラの画角位置を調節するために画角認識スクリーンを透写し、バーコードからカメラを焦点距離だけ離隔させるために、焦点調節用十字線を透写させ、使用者が手で焦点および画角を調整した後、焦点距離位置で手を固定させてバーコード映像情報を認識するようにしていた。
【００４４】
したがって、使用者は、バーコードが完全に認識されるまで、バーコードリーダーを固定的に持っていなければならなかった。
【００４５】
本発明によれば、使用者は、カメラ装着台１４０内にバーコードが入るように、本発明の第１実施例によるスタンプ型バーコードリーダー１００をバーコードが印刷された紙面にスタンプのように下ろすだけで、カメラ１２０の撮影範囲内にバーコードが入るので、バーコード解読端末機１に表示されるバーコード映像を見ながらバーコードリーダーの位置を調節する必要がなく、カメラ１２０の焦点もバーコードに固定的に合わせられるので、易しくて正確に２次元バーコードを解読することができることになる。
【００４６】
また、本発明によれば、カメラ装着台１４０の側面が透明材質からなっているので、使用者は、カメラ装着台１４０内にバーコードが入るかを目で確認して位置を調整することができ、カメラ装着台１４０の側面から入射する自然光は、バーコードリーダーのカメラ１２０が映像を獲得する光源の役目をする。
【００４７】
図５は本発明の第１実施例によるスタンプ型バーコードリーダー１００のカメラ１２０とカメラ装着台１４０が分離された状態を示す図である。
【００４８】
図３および図５に示すように、カメラ装着台１４０は前記カメラ１２０に着脱可能になっているので、カメラ装着台１４０を分離させると、カメラ１２０を一般のカメラとして使用することができ、カメラ装着台１４０を装着すると、バーコードリーダーとして使用することができるようになる。
【００４９】
ただ、使用者がカメラ装着台１４０をカメラ１２０に装着する時、カメラ装着台１４０に表示された着脱案内線１４４をカメラ１２０に表示された着脱案内線１２２に一致させて装着する。
【００５０】
着脱案内線１２２、１４４は、バーコードの印刷された紙面と接触する面の形状がカメラ１２０の撮影範囲と一致するように形成されているカメラ装着台１４０のカメラ１２０との装着方向がずれると、カメラ１２０の撮影範囲もずれるため、カメラ１２０およびカメラ装着台１４０にそれぞれ表示されているものである。
【００５１】
図６は本発明の第２実施例によるスタンプ型バーコードリーダー２００を示す図である。
【００５２】
図６に示すように、本発明の第２実施例によるスタンプ型バーコードリーダー２００が本発明の第１実施例によるスタンプ型バーコードリーダー１００と違う点は、カメラ装着台１４０の形状にある。
【００５３】
本発明の第２実施例によるカメラ装着台１４０は、製造工程を簡単にするために、円錐状に形成されるが、前記カメラ１２０の撮影範囲を示すバーコード位置案内線１４２が表示されている。
【００５４】
したがって、使用者は、カメラ装着台１４０に表示されたバーコード位置案内線１４２内にバーコードが入るようにして、本発明の第２実施例によるスタンプ型バーコードリーダー２００を下ろすと、カメラ１２０の撮影範囲内にバーコードが入るので、本発明の第１実施例と同様に、易しくて正確に２次元バーコードを解読することができることになる。
【００５５】
また、本発明の第１実施例と同様に、カメラ１２０およびカメラ装着台１４０にそれぞれ着脱案内線１２２、１４４が表示されているので、使用者がカメラ装着台１４０をカメラ１２０に装着する時、カメラ装着台１４０に表示された着脱案内線１４４をカメラ１２０に表示された着脱案内線１２２に一致させて装着する。
【００５６】
以上のような実施例の説明および図面上の表現は本発明の望ましい実施例の一つに過ぎないもので、本発明の技術的思想をすべて表すものではない。したがって、本出願の時点でこれらを取り替えることができる多様な同等物および変形物も本発明に属することを理解しなければならない。
【図面の簡単な説明】
【００５７】
【図１】従来技術方式の２次元バーコードリーダーの写真を図としたものである。
【図２】従来技術方式の２次元バーコードリーダーの使用案内図である。
【図３】本発明の第１実施例によるスタンプ型バーコードリーダーを示す概略図である。
【図４】本発明のスタンプ型バーコードリーダーのカメラを下側から見た底面図である。
【図５】本発明の第１実施例によるスタンプ型バーコードリーダーのカメラとカメラ装着台が分離された状態を示す概略図である。
【図６】本発明の第２実施例によるスタンプ型バーコードリーダーの概略図である。
【図１】
2008530684.tif 000003
【図２】
2008530684.tif 000004
【図３】
2008530684.tif 000005
【図４】
2008530684.tif 000006
【図５】
2008530684.tif 000007
【図６】
2008530684.tif 000008
【国際調査報告】
2008530684.tif 000009
2008530684.tif 000010